(57)【要約】【課題】所望の処理を早期に実行し、又は、早期に実行のための準備をすることができなかった。【解決手段】第１の複数の処理、及び、当該第１の複数の処理に引き続き実行されるべき第２の複数の処理を表示するための表示ユニットと、前記表示ユニットに、前記第１の複数の処理と、前記第２の複数の処理のうちの少なくとも１つの処理とを表す複数の画像を表示させる制御ユニットと、を含む。【選択図】図１
2007287012.tif 000002
【特許請求の範囲】
【請求項１】
第１の複数の処理、及び、当該第１の複数の処理に引き続き実行されるべき第２の複数の処理を表示するための表示ユニットと、
前記表示ユニットに、前記第１の複数の処理と、前記第２の複数の処理のうちの少なくとも１つの処理とを表す複数の画像を表示させる制御ユニットと、を含むことを特徴とする表示装置。
【請求項２】
時系列的に続いて実行されるべき、第１の複数の処理、第２の複数の処理、第３の複数の処理を表示するための表示ユニットと、
前記表示ユニットに、前記第１の複数の処理と、前記第３の複数の処理のうちの少なくとも１つの処理とを表す複数の第１の画像を表示させた後に、前記第２の複数の処理と、前記少なくとも１つの処理とを表す第２の画像を表示させる制御ユニットであって、前記少なくとも１つの処理を前記表示ユニット上の同一の位置に表示させる前記制御ユニットと、を含むことを特徴とする表示装置。
【発明の詳細な説明】
【技術分野】
【０００１】
本発明は、携帯電話及びパーソナルコンピュータ等の電子機器に備えられた、当該電子機器が実行可能な処理を表示する表示ユニットを有する表示装置に関する。
【背景技術】
【０００２】
従来の表示装置では、図９に示されるように、表示ユニット１００は、ユーザが電源をオンにすると、ユーザが最初に選択可能な処理の候補として、「メール」、「ネット」、「電話」、「音楽」、．．．、「終了」を表示する（（Ａ）第１の状態）。次に、ユーザが、例えば、「音楽」を選択すると、ユーザが当該処理「音楽」に関し選択可能な処理の候補として、「曲１」、「曲２」、「曲３」、．．．、「曲９」を表示し（（Ｂ）第２の状態）、さらに、ユーザが、例えば、処理「曲３」を選択すると、表示ユニット１００は、ユーザが当該処理「曲３」について選択可能な処理の候補として、「再生」、「停止」、「一時停止」、．．．、「リピート」を表示する（（Ｃ）第３の状態）。引き続き、ユーザが、例えば、処理「再生」を選択すると、表示ユニット１００は、当該処理「再生」に関しユーザが選択可能な処理の候補として、「ステレオ再生」、「モノラル再生」、「３Ｄ再生」を表示する（（Ｄ）第４の状態）。最後に、ユーザが、例えば、「３Ｄ再生」を選択すると、表示ユニット１００は、ユーザが当該処理「３Ｄ再生」に関し選択可能な処理の候補として、「ｃｈ１（チャンネル１の音量を調整。以下、同様。）」、「ｃｈ２」、「ｃｈ３」、．．．、「ｃｈ５」を表示する（（Ｅ）第５の状態）。
【発明の開示】
【発明が解決しようとする課題】
【０００３】
しかしながら、上記した従来の表示装置では、ユーザが、所望の処理、例えば処理「３Ｄ再生」をできるだけ早期に実行すること、又は、早期に実行のための準備をすることを希望しても、図９に示されるように、（Ａ）第１の状態、（Ｂ）第２の状態、（Ｃ）第３の状態を経た後に、（Ｄ）第４の状態になって初めて「３Ｄ再生」を選択することが許可されることから、処理「３Ｄ再生」を早期に実行し、又は、早期に実行のための準備をすることができないという問題があった。
【課題を解決するための手段】
【０００４】
本発明に係る第１の表示装置は、上記した課題を解決すべく、第１の複数の処理、及び、当該第１の複数の処理に引き続き実行されるべき第２の複数の処理を表示するための表示ユニットと、前記表示ユニットに、前記第１の複数の処理と、前記第２の複数の処理のうちの少なくとも１つの処理とを表す複数の画像を表示させる制御ユニットと、を含む。
【０００５】
本発明に係る第１の表示装置によれば、前記制御ユニットが、前記表示ユニットに、前記第１の複数の処理、及び、前記第２の複数の処理のうちの少なくとも１つの処理を表す前記複数の画像を表示させることから、ユーザは、前記少なくとも１つの処理を、上記した従来の表示装置に比して早期に実行し、又は、早期に実行の準備をすることが可能となる。
【０００６】
本発明に係る第２の表示装置は、時系列的に続いて実行されるべき、第１の複数の処理、第２の複数の処理、第３の複数の処理を表示するための表示ユニットと、前記表示ユニットに、前記第１の複数の処理と、前記第３の複数の処理のうちの少なくとも１つの処理とを表す複数の第１の画像を表示させた後に、前記第２の複数の処理と、前記少なくとも１つの処理とを表す第２の画像を表示させる制御ユニットであって、前記少なくとも１つの処理を前記表示ユニット上の同一の位置に表示させる前記制御ユニットと、を含む。
【０００７】
本発明に係る第２の表示装置によれば、前記制御ユニットは、前記表示ユニットに、前記第１の複数の処理と、当該第１の複数の処理に引き続く前記第２の複数の処理の実行後に実行すべき前記第３の複数の処理のうちの少なくとも１つの処理とを表示させた後に、前記第２の複数の処理を表示させると共に、前記少なくとも１つの処理を前記表示ユニットにおける同一の位置に表示させることから、ユーザは、前記少なくとも１つの処理を、従来の表示装置に比較して早期に実行し、又は、早期に実行の準備をすることができ、しかも、当該早期に実行し又は早期に実行の準備ができることを容易に認識することが可能となる。
【発明を実施するための最良の形態】
【０００８】
本発明に係る表示装置の実施例について図面を参照して説明する。
【０００９】
《構成》
実施例の表示装置Ｄは、図１に示されるように、表示ユニット１と、選択ユニット２と、制御ユニット３と、処理ユニット４と、記憶ユニット５とを含む。
【００１０】
表示ユニット１は、例えば、液晶又はＣＲＴからなり、図２（Ａ）に示されるように、表示用小領域１０ａ、１０ｂ、．．．、１０ｉと、表示用大領域１１ａ、１１ｂ、．．．、１１ｉと、横長領域１２とを有する。表示ユニット１は、制御ユニット３による制御下で、表示用小領域１０ａ、１０ｂ、．．．、１０ｉ及び表示用大領域１１ａ、１１ｂ、．．．、１１ｉに、処理ユニット４が処理可能な複数の処理（例えば、メールの送受信、インターネットでのホームページ（ＨＰ）の閲覧、電話等）の内容を象徴する、表示用小画像１３ａ、１３ｂ、．．．、１６ａ、１６ｂ、．．．、及び表示用大画像１４ａ、１４ｂ、．．．、１７ａ、１７ｂ、．．．、１８ａ、１８ｂ、．．．（図７、図８に図示。）をそれぞれ表示させる。ここで、表示用小画像及び表示用大画像とは、前記複数の処理の内容を概念的に又は感覚的に表すべく略称化又は図案化した文字や記号（例えば、アイコンやシンボルマーク）であり、表示用小画像は、表示用大画像に比して小型化かつ簡易化されている。
【００１１】
選択ユニット２は、選択部２０と、選択用表示部２１とを有する。選択部２０は、図２（Ｂ）に示されるように、例えば、従来知られた携帯電話やパーソナルコンピュータにおけるキーと同様に、前記複数の処理を選択するための複数のキー２０ａ、２０ｂ、．．．、２０ｌからなる。また、選択用表示部２１は、図２（Ｂ）に示されるように、前記複数のキー２０ａ、２０ｂ、．．．、２０ｌに１対１に設けられた複数のキー表示部（例えば、液晶表示部材や有機ＥＬ部材から構成される。）２１ａ、２１ｂ、．．．、２１ｌからなり、キー表示部２１ａ、２１ｂ、．．．は、図７及び図８に示されるように、前記表示用大画像１４ａ、１４ｂ、．．．と同様に略称化又は図案化された選択用画像２２ａ、２２ｂ、．．．、２３ａ、２３ｂ、．．．、２４ａ、２４ｂ、．．．を表示する。
【００１２】
例えば、キー２０ｂにキー処理割当部３１（後述）によって予め処理「ネット」が割り当てられていることを想定すると、当該キー２０ｂに対応するキー表示部２１ｂは、前記処理「ネット」を表示し、また、ユーザによって当該キー２０ｂが選択されると、前記処理「ネット」が選択された旨をキー入力受付部３２（後述）に通知する。
【００１３】
制御ユニット３は、例えば、ＣＰＵからなり、図１に示されるように、表示制御部３０と、キー処理割当部３１と、キー入力受付部３２と、キー表示制御部３３とを有する。
【００１４】
表示制御部３０は、図７及び図８に示されるように、表示ユニット１における表示用小領域１０ａ、１０ｂ、．．．と、表示用大領域１１ａ、１１ｂ、．．．と、横長領域１２とに、それぞれ、表示用小画像１３ａ、１３ｂ、．．．と、表示用大画像１４ａ、１４ｂ、．．．と、横長画像１５（１）、１５（２）、．．．とを表示させる。
【００１５】
キー処理割当部３１は、選択部２０の複数のキー２０ａ、２０ｂ、．．．の各々に、前記複数の処理の一つを割り当て、例えば、上記したように、キー２０ｂに処理「ネット」を割り当てる。
【００１６】
キー入力受付部３２は、選択部２０の前記複数のキー２０ａ、２０ｂ、．．．から、前記複数の処理のうちのいずれかが選択された旨の入力を受け付け、例えば、上記したように、選択部２０のキー２０ｂから、当該キー２０ｂに割り当てられた処理「ネット」が選択された旨を受け付ける。
【００１７】
キー表示制御部３３は、キー表示部２１ａ、２１ｂ、．．．に、選択用画像２２ａ、２２ｂ、．．．を表示させる。
【００１８】
処理ユニット４は、例えば、ＣＰＵからなり、上記したような複数の処理を行う。
【００１９】
記憶ユニット５は、例えば、ハードディスク、ＣＤ−ＲＯＭ、フレキシブル・ディスク、ＲＯＭ、ＲＡＭ等からなり、表示装置Ｄの動作全体を制御するプログラムＰＲを含み、更に、当該プログラムＰＲは、図３、図４、図５に示されるように、制御ユニット３による表示ユニット１及び選択ユニット２の表示についての制御の内容を規定する第１のタスクＴ１、第２のタスクＴ２、第３のタスクＴ３、．．．を有する。
【００２０】
《動作》
実施例の表示装置Ｄの動作を図６に示すフローチャートに沿って説明する。
【００２１】
ステップＳ１０：表示装置Ｄの電源がオフであるとき、表示ユニット１、並びに、選択ユニット２の選択部２０及び選択用表示部２１は、図７に示されるように、（１）第１の状態であり、即ち、表示ユニット１は、何も表示しておらず、また、選択用表示部２１（キー表示部２１ａ、２１ｂ、．．．）もまた、何も表示していない。
【００２２】
ステップＳ２０：ユーザが、表示装置Ｄの電源をオンにすると、制御ユニット３では、「メニュー」を表すべく、記憶ユニット５に記憶された第１のタスクＴ１（図３に図示。００００のアドレスから始まり、”電源をオン”したときに実行すべきタスク。）を実行することにより、図７に示されるように、表示制御部３０は、表示ユニット１上の表示用小領域１０ａ、１０ｂ、．．．、１０ｉと、表示用大領域１１ａ、１１ｂ、．．．、１１ｉとに、それぞれ、処理「メール」、「ネット」、「電話」、「音楽」、．．．、「３Ｄ再生」の表示用小画像１３ａ、１３ｂ、．．．、１３ｉと、表示用大画像１４ａ、１４ｂ、．．．、１４ｉとを表示させ、かつ、横長領域１２に、「メニュー」の横長画像１５（１）を表示させ、また、キー処理割当部３１は、選択部２０のキー２０ａ、２０ｂ、．．．に「メール」、「ネット」、「電話」、「音楽」、．．．、「３Ｄ再生」の処理を割り当て、キー表示制御部３３は、選択用表示部２１のキー表示部２１ａ、２１ｂ、．．．に、「メール」、「ネット」、「電話」、「音楽」、．．．、「３Ｄ再生」の選択用画像２２ａ、２２ｂ、．．．を表示させることにより、（２）第２の状態に遷移する。ここで、「３Ｄ再生」は、本来的には、「メニュー」の段階で表示されるべき処理ではなく、「音楽」、「写真」、「ムービー」、「テレビ」、「ラジオ」等のような処理が選択された後に表示されるべき処理であり、また、ユーザが優先的に実行したい旨（「表示用小領域１０ｉに『３Ｄ』を表示」、「表示用大領域１１ｉに『３Ｄ再生』を表示」、「キー表示部２１ｉに『３Ｄ再生』を表示」等）を予め第１のタスクＴ１として書き込んでおくことにより、ステップＳ２０の段階で表示される。
【００２３】
ステップＳ３０：ユーザが、表示ユニット１上で表示用小画像１３ａ、１３ｂ、．．．、１３ｉ又は、表示用大画像１４ａ、１４ｂ、．．．、１４ｉを見ながら、「３Ｄ再生」を楽しみたいと考え、選択部２０のキー２０ａ、２０ｂ、．．．、２０ｉのうち、処理「音楽」が表示されているキー２０ｄを押すと、選択部２０は、キー２０ｄが押された旨、即ち、処理「３Ｄ再生」が選択された旨をキー入力受付部３２に通知する。
【００２４】
キー入力受付部３２が、前記の旨を受け付けると、制御ユニット３では、処理「３Ｄ再生」のための選曲について選択可能な処理を表すべく、第２のタスクＴ２（図４に図示。００９０のアドレスから始まり、”３Ｄ再生”が選択されたときに実行すべき、３Ｄ再生のための選曲のタスク。）に従って、表示制御部３０は、図７に示されるように、表示ユニット１の表示用小領域１０ａ、１０ｂ、．．．、１０ｅ、１０ｉ、及び、表示用大領域１１ａ、１１ｂ、．．．、１１ｅ、１１ｉに、「曲１」、「曲２」、．．．、「曲５」、「３Ｄ再生」を示す表示用小画像１６ａ、１６ｂ、．．．、１６ｅ、１６ｉ、及び、表示用大画像１７ａ、１７ｂ、．．．、１７ｅ、１７ｉを表示させ、かつ、横長領域１２に「３Ｄ再生のための選曲」の横長画像１５（２）を表示させ、キー処理割当部３１は、キー２０ａ、２０ｂ、．．．、２０ｅ、２０ｉに「曲１」、「曲２」、．．．、「曲５」、「３Ｄ再生」を割り当て、キー表示制御部３３は、選択表示部２１のキー表示部２１ａ、２１ｂ、．．．、２１ｅ、２１ｉに、「曲１」、「曲２」、．．．、「曲５」、「３Ｄ再生」を示す選択用画像２３ａ、２３ｂ、．．．、２３ｅ、２３ｉを表示させることにより、（３）第３の状態に遷移する。ここで、キー表示制御部３３は、図７に示されるように、処理「３Ｄ再生」を、ステップＳ２０において処理「３Ｄ再生」が表示された位置と同一な位置である表示用小領域１０ｉ及び表示用大領域１１ｉに表示させる。
【００２５】
ステップＳ４０：ユーザが、表示ユニット１上で表示用大画像１７ａ、１７ｂ、．．．、１７ｅ、１７ｉを見ながら、「曲３」を聴きたいと考え、選択部２０のキー２０ａ、２０ｂ、．．．、２０ｅ、２０ｉのうち、「曲３」が表示されているキー２０ｃ及び「３Ｄ再生」が表示されているキー２０ｉを押すと、選択部２０は、キー２０ｃ及びキー２０ｉが押された旨、即ち、「曲３」及び「３Ｄ再生」が選択された旨をキー入力受付部３２に通知する。キー入力受付部３２が、前記の旨を受け付けると、制御ユニット３では、「曲３」の「３Ｄ再生」に関する処理を表示すべく、第３のタスクＴ３（図５に図示。０１３０のアドレスから始まり、”曲３の３Ｄ再生”が選択されたときに実行すべきタスク。）に従って、図８に示されるように、表示制御部３０は、表示ユニット１の表示用大領域１１ａ、１１ｂ、．．．に、「ｃｈ１」（”チャンネル１の音量の調整”の意。以下、同様。）、「ｃｈ２」、「ｃｈ３」、．．．、「ｃｈ５」を示す表示用大画像１８ａ、１８ｂ、．．．、１８ｅを表示させ、かつ、横長領域１２に、「曲３の３Ｄ再生」の横長画像１５（３）を表示させ、キー処理割当部３１は、選択部２０のキー２０ａ、２０ｂ、．．．、２０ｅに、処理「ｃｈ１」、「ｃｈ２」、．．．、「ｃｈ５」の処理を割り当て、キー表示制御部３３は、選択用表示部２１のキー表示部２１ａ、２１ｂ、．．．、２１ｅに、「ｃｈ１」、「ｃｈ２」、、．．．、「ｃｈ５」を示す選択用画像２４ａ、２４ｂ、．．．、２４ｅを表示させることにより、（４）第４の状態に遷移する。このようにして、ユーザは、曲３の３Ｄ再生の実行のための準備をし、かつ、曲３の３Ｄ再生の実行をすることができる。
【００２６】
《効果》
上述したように、実施例の表示装置Ｄでは、図７の（２）第２の状態に示されるように、表示制御部３０が、「メニュー」の画面として、表示ユニット１の表示用小領域１０ｉ及び表示用大領域１１ｉに、処理「３Ｄ再生」の表示用大画像１３ｉ及び表示用大画像１４ｉを表示させ、引き続き、図７の（３）第３の状態に示されるように、「３Ｄ再生のための選曲」の画面として、表示ユニット１の表示用小領域１０ｉ及び表示用大領域１１ｉに、処理「３Ｄ再生」の表示用小画像１６ｉ及び表示用大画像１７ｉを表示させることから、ユーザは、従来の表示装置の表示ユニット１００において、図９の（Ａ）第１の状態〜（Ｄ）第４の状態に示されるように、（Ａ）第１の状態〜（Ｃ）第３の状態を経た後に（Ｄ）第４の状態になって、初めて、処理「３Ｄ再生」の実行のための準備又は実行をすることができたこととは対照的に、初期の段階である（２）第２の状態から、処理「３Ｄ再生」の実行の準備を行うことが可能となる。
【００２７】
また、実施例の表示装置Ｄでは、制御ユニット３が、（３）第３の状態のときに、処理「３Ｄ再生」を、表示ユニット１における、（２）第２の状態のときに表示した位置と同一な位置である表示用小領域１０ｉ及び表示用大領域１１ｉに表示させることから、ユーザは、処理「３Ｄ再生」の位置を容易に認識することができる。
【図面の簡単な説明】
【００２８】
【図１】実施例の表示装置の構成を示す図。
【図２】表示ユニットの表示用小領域、表示用大領域、横長領域、及び、選択ユニットのキー、キー表示部を示す図。
【図３】第１のタスクの構成を示す図。
【図４】第２のタスクの構成を示す図。
【図５】第３のタスクの構成を示す図。
【図６】実施例の表示装置の動作を示すフローチャート。
【図７】表示ユニット及び選択ユニットの状態の遷移を示す図（その１）。
【図８】表示ユニット及び選択ユニットの状態の遷移を示す図（その２）。
【図９】従来の表示装置の表示ユニットの状態の遷移を示す図。
【符号の説明】
【００２９】
Ｄ…表示装置、１…表示ユニット、２…選択ユニット、３…制御ユニット、４…処理ユニット、５…記憶ユニット。
【図１】
2007287012.tif 000003
【図２】
2007287012.tif 000004
【図３】
2007287012.tif 000005
【図４】
2007287012.tif 000006
【図５】
2007287012.tif 000007
【図６】
2007287012.tif 000008
【図７】
2007287012.tif 000009
【図８】
2007287012.tif 000010
【図９】
2007287012.tif 000011